【事件の表示】
　特願２００２−２４２５３０「台紙なし封止用シールおよびこれを用いた封止方法」拒絶査定不服審判事件〔平成１６年　３月１８日出願公開、特開２００４−　８５６１４〕について、次のとおり審決する。
【結　論】
　本件審判の請求は、成り立たない。
【理　由】
第１　手続の経緯・本願発明
１　本願は、平成１４年８月２２日の出願であって、平成２０年１２月１９日に手続補正がなされ、平成２１年１月１６日付けで拒絶査定がなされ、これに対して、同年２月２０日に拒絶査定不服審判が請求されるとともに、同年３月１９日に手続補正がなされたものである。
　
２　本願の請求項１に係る発明は、平成２１年３月１９日付け手続補正後の明細書及び図面の記載からみて、その特許請求の範囲の請求項１に記載されたとおりの次のものと認める。
「シール基材と、このシール基材の裏面に形成した粘着剤層と、前記シール基材の表面に順に形成した印刷層、剥離剤層とを有する台紙なし封止用シールであって、
前記シール基材を少なくとも第１の分割領域および第２の分割領域に分割可能で該シール基材の幅方向に沿って設けられた分割用切断線と、
これら第１の分割領域および第２の分割領域のそれぞれに、この分割用切断線からそれぞれの側端部に向かってその間の間隔が漸減して互いに交わるように形成した少なくとも一対の切込み線から構成した不正開封防止用切断線と、
を形成し、
これら第１の分割領域および第２の分割領域において、前記シール基材の側端部から分割用切断線に向けて開封する不正開封方向には前記シール基材を破くようにするとともに、前記分割用切断線に力を作用させることで分割用切断線を切断し、シール基材を第１の分割領域および第２の分割領域に分割した後、切断された分割用切断線から側端部に向けて開封する適正開封方向には前記シール基材を破かないようにしたことを特徴とする台紙なし封止用シール。」（以下「本願発明」という。）
　
第２　引用刊行物の記載事項
　原査定の拒絶の理由に引用された本願の出願前に頒布された刊行物である実願昭４８−２８００９号(実開昭４９−１２８８５８号)のマイクロフィルム（以下「引用例」という。）には、次の事項が図とともに記載されている（下線は審決で付した。以下同じ。また、略字、繰り返し記号は訂正して摘記した。）。
　
１　「
フイルム基材、感圧粘着剤および剥離シートからなるシート材料において、前記剥離シートのほぼ中央部にシート材料の長さ方向に沿いその全長にわたつて一定間隔で２本の切目を設け、前記フイルム基材にはその幅方向両端縁辺に多数の切込みをまたその長さ方向両端縁辺の前記剥離シートの２本の切目幅両側に各１本の切込みを設けてなる
シート状シール材料
　
２　「図面を参照して本考案を詳述すると、第１図および第２図は、
フイルム基材１、感圧粘着剤塗布層２、剥離シート３からなるシート材料
フイル基材１には、その幅方向両端縁辺に多数の切込み５、５を設ける。この切込み５，５は図示するように向きの異なる斜め切込みを交互に設ける
　
３　「本考案に用いる
フイルム基材１は
印刷を施こし
　以上のごとき構造のシート状シール材料の使用法について説明すると、先ず剥離シート３中央部の１本の切目４からその外側方向へ剥離シートを剥ぎ取つた後、
粘着剤層２を露出させて被着物に貼着
露出した粘着剤層２を被着物に貼着する。
第３図に示すように被着物に貼着される。
被着物に粘着された状態では、
フイルム基材を縦、横、斜めのいずれの方向から引き剥がしたとしても、切込み５，５からフイルム基材は中央部に向けて裂けてしまい、
　
４　「そこで、これを簡単に行うためには、第４図に示すように、
シートの長さ方向両端縁辺の、細長い剥離シート部分３’の両側にあるフイルム基材１に設けられた切込み６，６から引裂くようにして剥離シート部分３’の末端部を持上げ、テイアテープと同様な作用をさせることによつてフイルム基材１を切裂き、その幅方向の全長にわたつて２分する。次いで剥離シート部分３’で引裂かれたフイルム基材の一方の縁部をつまみ、その長さ方向の両端を指先で持つて切込み５，５のある端縁辺へ向つてなるべく平行に剥ぎ取れば、切込み５，５からフイルム基材が引裂かれることなく一体的に被着物面から剥がすことができる。これと同様な方法で残つているフイルム基材の他方の片も被着物面から剥がせば、シール材料を簡単に汚れを残さずに除去することができる。
　
５　「以上の説明から明らかなように、本考案のシート状シール材料は従来のフイルム基材、感圧粘着剤、剥離シートからなる接着シートを用いて容易に製造することができ、その使用法も簡便でしかも
封印の目的を
果たすことができ
　
６　上記２、第１図、第３図及び第４図の記載から、フイルム基材１には、その幅方向両端縁辺に両端縁辺向かってその間の間隔が漸減して形成される多数の対の切込み５、５が形成されていることが見て取れる。
　
７　上記３及び第３図の記載から、フイルム基材１の裏面に感圧粘着剤塗布層２が形成され、感圧粘着剤塗布層を被着物に粘着することが見て取れる。　
８　上記１ないし７から、引用例には、
「印刷を施こされたフイルム基材、フイルム基材の裏面に形成され被着物に粘着する感圧粘着剤塗布層および剥離シートからなるシート材料において、封印の目的を果たすため、前記剥離シートのほぼ中央部にシート材料の長さ方向に沿いその全長にわたつて一定間隔で２本の切目を設け、前記フイルム基材にはその幅方向両端縁辺に両端縁辺向かってその間の間隔が漸減して形成される多数の対の切込み５，５をまたその長さ方向両端縁辺の前記剥離シートの２本の切目幅両側に各１本の切込み６，６を設けてなり、
被着物に粘着された状態で、フイルム基材を縦、横、斜めのいずれの方向から引き剥がしたとしても、切込み５，５からフイルム基材は中央部に向けて裂けてしまい、
シートの長さ方向両端縁辺の、細長い剥離シート部分３’の両側にあるフイルム基材１に設けられた切込み６，６から引裂くようにして剥離シート部分３’の末端部を持上げ、テイアテープと同様な作用をさせることによつてフイルム基材１を切裂き、その幅方向の全長にわたつて２分し、次いで剥離シート部分３’で引裂かれたフイルム基材の一方の縁部をつまみ、その長さ方向の両端を指先で持つて切込み５，５のある端縁辺へ向つてなるべく平行に剥ぎ取れば、切込み５，５からフイルム基材が引裂かれることなく一体的に被着物面から剥がすことができ、これと同様な方法で残つているフイルム基材の他方の片も被着物面から剥がせば、シール材料を簡単に汚れを残さずに除去することができるシート状シール材料。」の発明（以下「引用発明」という。）が、記載されているものと認められる。
　
第３　対比
　本願発明と引用発明とを対比する。
１　引用発明の「『フイルム基材』に『施こ』した『印刷』」、「フイルム基材」、「『フイルム基材の裏面に形成され』『る感圧粘着剤塗布層』」、「シート材料」、「封印の目的を果たすため、」、「フイルム基材にはその幅方向両端縁辺に両端縁辺向かってその間の間隔が漸減して形成される多数の対の切込み５，５」及び「被着物に粘着された状態で、フイルム基材を縦、横、斜めのいずれの方向から引き剥がしたとしても、切込み５，５からフイルム基材は中央部に向けて裂けてしまい」は、それぞれ、本願発明の「『シール基材の表面に』『形成した印刷層』」、「シール基材」、「シール基材の裏面に形成した粘着剤層」、「シール」、「封止用」、「『側端部に向かってその間の間隔が漸減して』『形成した少なくとも一対の切込み線から構成した不正開封防止用切断線』」及び「『シール基材の側端部から』『開封する不正開封方向には前記シール基材を破くようにする』」に相当する。
　
２　引用発明は「シートの長さ方向両端縁辺の、細長い剥離シート部分３’の両側にあるフイルム基材１に設けられた切込み６，６から引裂くようにして剥離シート部分３’の末端部を持上げ、テイアテープと同様な作用をさせることによつてフイルム基材１を切裂き、その幅方向の全長にわたつて２分」していることから、フイルム基材の幅方向の全長にわたつてフイルム基材が第１の分割領域および第２の分割領域に分割可能であると認められ、引用発明は「シートの長さ方向両端縁辺の、細長い剥離シート部分３’の両側にあるフイルム基材１に設けられた切込み６，６から引裂くようにして剥離シート部分３’の末端部を持上げ、テイアテープと同様な作用をさせることによつてフイルム基材１を切裂き、その幅方向の全長にわたつて２分」していることから、「フイルム基材１に設けられた切込み６，６から引裂」き「テイアテープと同様な作用をさせることによつてフイルム基材１を切裂」いた部分は、フイルム基材に設けられた分割用切断部分と認められる。
　よって、引用発明の「『フイルム基材１』を『２分』するため『フイルム基材１に設けられた切込み６，６から引裂』き『テイアテープと同様な作用をさせることによつてフイルム基材１を切裂』いた部分」と、本願発明の「前記シール基材を少なくとも第１の分割領域および第２の分割領域に分割可能で該シール基材の幅方向に沿って設けられた分割用切断線」とは、シール基材を少なくとも第１の分割領域および第２の分割領域に分割可能で該シール基材の幅方向に沿って設けられた分割用切断部分の点で一致し、引用発明の「フイルム基材にはその幅方向両端縁辺に両端縁辺向かってその間の間隔が漸減して形成される多数の対の切込み５，５」と、本願発明の「第１の分割領域および第２の分割領域のそれぞれに、この分割用切断線からそれぞれの側端部に向かってその間の間隔が漸減して互いに交わるように形成した少なくとも一対の切込み線から構成した不正開封防止用切断線」とは、第１の分割領域および第２の分割領域のそれぞれに、この分割用切断部分からそれぞれの側端部に向かってその間の間隔が漸減して形成した少なくとも一対の切込み線から構成した不正開封防止用切断線である点で一致し、引用発明の「被着物に粘着された状態で、フイルム基材を縦、横、斜めのいずれの方向から引き剥がしたとしても、切込み５，５からフイルム基材は中央部に向けて裂けてしまい」と、本願発明の「第１の分割領域および第２の分割領域において、シール基材の側端部から分割用切断線に向けて開封する不正開封方向には前記シール基材を破くようにする」とは、第１の分割領域および第２の分割領域おいて、シール基材の側端部から分割用切断部分に向けて開封する不正開封方向には前記シール基材を破くようにする点で一致し、引用発明の「フイルム基材１を切裂き、その幅方向の全長にわたつて２分し、次いで剥離シート部分３’で引裂かれたフイルム基材の一方の縁部をつまみ、その長さ方向の両端を指先で持つて切込み５，５のある端縁辺へ向つてなるべく平行に剥ぎ取れば、切込み５，５からフイルム基材が引裂かれることなく一体的に被着物面から剥がすことができ、これと同様な方法で残つているフイルム基材の他方の片も被着物面から剥がせば、シール材料を簡単に汚れを残さずに除去することができる」と、本願発明の「シール基材を第１の分割領域および第２の分割領域に分割した後、切断された分割用切断線から側端部に向けて開封する適正開封方向には前記シール基材を破かないようにしたこと」とは、シール基材を第１の分割領域および第２の分割領域に分割した後、切断された分割用切断部分から側端部に向けて開封する適正開封方向には前記シール基材を破かないようにした点で一致する。
　
３　上記１及び２からみて、本願発明と引用発明とは、
「シール基材と、このシール基材の裏面に形成した粘着剤層と、前記シール基材の表面に順に形成した印刷層とを有する封止用シールであって、
前記シール基材を少なくとも第１の分割領域および第２の分割領域に分割可能で該シール基材の幅方向に沿って設けられた分割用切断部分と、
これら第１の分割領域および第２の分割領域のそれぞれに、この分割用切断部分からそれぞれの側端部に向かってその間の間隔が漸減して形成した少なくとも一対の切込み線から構成した不正開封防止用切断線と、
を形成し、
これら第１の分割領域および第２の分割領域において、前記シール基材の側端部から分割用切断部分に向けて開封する不正開封方向には前記シール基材を破くようにするとともに、シール基材を第１の分割領域および第２の分割領域に分割した後、切断された分割用切断部分から側端部に向けて開封する適正開封方向には前記シール基材を破かないようにした封止用シール。」である点で一致し、次の相違点１ないし３で相違する。
　
相違点１：
　本願発明においては、封止用シールが「剥離剤層」を有し「台紙なし」であるに対し、引用発明においては、シート状シール材料は剥離シートを備えている点。
　
相違点２：
　本願発明においては、分割用切断線によって、シール基材を少なくとも第１の分割領域および第２の分割領域に分割可能とし、かつ、前記分割用切断線に力を作用させることで分割用切断線を切断し、シール基材を第１の分割領域および第２の分割領域に分割しているのに対し、引用発明においては、シートの長さ方向両端縁辺の、細長い剥離シート部分３’の両側にあるフイルム基材１に設けられた切込み６，６から引裂くようにしフイルム基材１を切裂いているものの、剥離シート部分３’の末端部を持上げ、テイアテープと同様な作用をさせることによつてフイルム基材１を切裂き、その幅方向の全長にわたつて２分している点。
　
相違点３：
　本願発明においては、不正開封防止用切断線が「間隔が漸減して互いに交わるように形成し」ているのに対し、引用発明においては、切込み５，５は間隔が漸減して形成されているものの互いに交わっていない点。
　
第４　判断
　上記相違点１ないし３について検討する。
１　相違点１について、
（１）不正防止用切り込みが形成されたラベルにおいて、剥離剤層が形成され、台紙なしとすることは、本願出願前に周知である（例．特開２００２−１４６１９号公報（【００１０】及び【００１３】参照。）、特開２００２−１８７２２２号公報（【０００８】及び【００１２】参照。）、特開２００２−１８９４１７号公報（【００１０】及び【００１３】参照。）、以下「周知技術１」という。）。
　
（２）引用発明に周知技術１を採用し、剥離剤層を有し台紙なしとすることは、すなわち、引用発明において、上記相違点１に係る本願発明の構成となすことは、当業者が周知技術１に基づいて容易になし得た程度のことである。
　
２　相違点２について
（１）封緘用ラベルにおいて、開封操作を容易にするため、基材フィルムの中間域に開封補助用スリットを設け、基材フィルムを２分割することは、本願出願前に周知である（例．特開２００２−１６２９０９号公報（【０００７】、【００１５】及び図１〜４参照。）、特開２００１−３３５０１７号公報（請求項１、【０００７】、【０００８】、【００１０】、図１及び図２参照。「『感圧接着剤が施された』『封緘ラベル』」、「封緘ラベル」及び「易切断部」が、それぞれ、「封緘用ラベル」、「基材フィルム」及び「開封補助用スリット」に相当する。）、実公昭４０−２１３３８号公報（「『封かん物』に接着する『接着テープ』」、「テープスペース」及び「ミシン孔」が、それぞれ、「封緘用ラベル」、「基材フィルム」及び「開封補助用スリット」に相当する。）、以下「周知技術２」という。）。
　
（２）そして、引用発明は、「シートの長さ方向両端縁辺の、細長い剥離シート部分３’の両側にあるフイルム基材１に設けられた切込み６，６から引裂くようにして剥離シート部分３’の末端部を持上げ、テイアテープと同様な作用をさせることによつてフイルム基材１を切裂き、その幅方向の全長にわたつて２分し」ていること、すなわち、フイルム基材１に設けられた切込み６，６から引裂きテイアテープと同様な作用をさせることによつてフイルム基材１を切裂いた部分で２分していることから、周知技術２を採用し、フイルム基材に設けた開封補助用スリットによって、第１の分割領域および第２の分割領域に分割可能とし、かつ、前記開封補助用スリットに力を作用させることでフイルム基材を切断し、フイルム基材を第１の分割領域および第２の分割領域に分割するようになすことは、当業者が容易に想到することにすぎない。
　
（３）よって、上記（２）の「フイルム基材に設けた開封補助用スリットによって、第１の分割領域および第２の分割領域に分割可能とし、かつ、前記開封補助用スリットに力を作用させることでフイルム基材を切断し、フイルム基材を第１の分割領域および第２の分割領域に分割するようになすこと」は、本願発明の「分割用切断線」によって、「シール基材を少なくとも第１の分割領域および第２の分割領域に分割可能」とし、かつ、「前記分割用切断線に力を作用させることで分割用切断線を切断し、シール基材を第１の分割領域および第２の分割領域に分割」することに相当するから、引用発明において、上記相違点２に係る本願発明の構成となすことは、当業者が周知技術２に基づいて容易になし得た程度のことである。
　
３　相違点３について
（１）不正防止用切り込みが形成されたラベルにおいて、不正防止用の切り込みをＶ字形とすることは、本願出願前に周知である（例．特開平１０−１４３０７５号公報（【０００４】、【００２１】及び図３（イ）参照。）、上記特開２００２−１４６１９号公報（【００３２】及び図１０参照。）、以下「周知技術３」という。）。
　
（２）引用発明に周知技術３を採用し、引用発明の切込み５，５を切込み間隔が漸減して交わるように形成した切込みとすること、すなわち、引用発明において、上記相違点３に係る本願発明の構成となすことは、当業者が周知技術３に基づいて容易になし得た程度のことである。
　
４　効果について
　本願発明の奏する効果は、引用発明、周知技術１、周知技術２及び周知技術３の奏する効果から当業者が予測することができた程度のものである。
　
５　まとめ
　したがって、本願発明は、当業者が引用発明、周知技術１、周知技術２及び周知技術３に基づいて容易に発明をすることができたものである。
　
第５　むすび 
　以上のとおり、本願発明は、当業者が引用例に記載された発明及び周知技術に基づいて容易に発明をすることができたものであるから、特許法第２９条第２項の規定により特許を受けることができないものであり、他の請求項に係る発明を検討するまでもなく、本願は、拒絶されるべきものである。 
　よって、結論のとおり審決する。